(57)【要約】【課題】本発明は水位感知センサに関し、フィルムに静電容量方式で水位をセンシングする電極を印刷方式によって形成し、さらに無線送信機能を有するコネクタモジュールから着脱が容易なようにしてセンシングされた水位値を遠隔地の中央管制所に送信できるようにすると共に、使い捨て用として使用できるようにした静電容量型水位感知センサを提供することにその目的がある。【解決手段】上述した目的を達成するための本発明の静電容量型水位感知センサは、ベースフィルム上に並んで１対の電極が印刷方式によって形成されてコンデンサを形成し、前記ベースフィルムの下部面には接着層が形成されたセンサフィルム、および前記センサフィルムの接続端子と接続し、電極によって検出された静電容量値をレベル情報に変換して遠隔地に無線送信するコネクタモジュールで構成され、前記コネクタモジュールは、ハウジングの一側に前記センサフィルムの接続端子部位を収容するための収容溝が形成され、前記収容溝の上側にはヒンジを媒介としてハウジングに結合したカバーが備えられて収容溝を覆うように構成され、前記カバーの内側には収容溝に収容された前記センサフィルムの接続端子を貫通して電気的に連結させるための連結ピンが備えられると共に、収容溝の底部には前記連結ピンと対応する位置にピン溝が形成されるように構成され、前記ハウジングの内側には、バッテリ、連結ピンと電気的に連結し、検出された静電容量値をレベル情報に変換するコントローラ、および前記コントローラから算出されたレベル情報を遠隔地に無線送信する無線送信部が内蔵されることを特徴とする。【選択図】図５
2015513678.tif 000002
【特許請求の範囲】
【請求項１】
ベースフィルム上に並んで１対の電極が印刷方式によって形成されてコンデンサを形成し、前記ベースフィルムの下部面には接着層が形成されたセンサフィルムと、
前記センサフィルムの接続端子と接続し、電極によって検出された静電容量値をレベル情報に変換して遠隔地に無線送信するコネクタモジュールと、
で構成され、
前記コネクタモジュールは、
ハウジングの一側に前記センサフィルムの接続端子部位を収容するための収容溝が形成され、前記収容溝の上側にはヒンジを媒介としてハウジングに結合したカバーが備えられて収容溝を覆うように構成され、前記カバーの内側には収容溝に収容された前記センサフィルムの接続端子を貫通して電気的に連結させるための連結ピンが備えられると共に、収容溝の底部には前記連結ピンと対応する位置にピン溝が形成されるように構成され、
前記ハウジングの内側には、
バッテリと、
連結ピンと電気的に連結し、検出された静電容量値をレベル情報に変換するコントローラと、
前記コントローラから算出されたレベル情報を遠隔地に無線送信する無線送信部と、
が内蔵されることを特徴とする、静電容量型水位感知センサ。
【発明の詳細な説明】
【技術分野】
【０００１】
本発明は水位感知センサに関し、フィルムに水位を静電容量方式でセンシングする電極を印刷方式によって形成し、さらに無線モジュールから着脱が容易なようにしてセンシングされた水位値を遠隔地に送信できるようにすると共に、使い捨て用として使用できるようにした静電容量型水位感知センサに関する。
【背景技術】
【０００２】
病院で使用される点滴用の輸液袋や瓶を利用して輸液注射を打つ場合、長期間の注射によって輸液の水位を頻繁に確認できない場合が多い。
【０００３】
水位を確認するためには看護婦が輸液の供給量に応じて適切に時間を判断するようになるが、これは正確でないだけでなく、とかく時間を忘れてしまった場合は適時に注射針を取り外すことができなくなる。
【発明の概要】
【発明が解決しようとする課題】
【０００４】
したがって、本発明を従来の問題点を解決するために、フィルムに静電容量方式で水位をセンシングする電極を印刷方式によって形成し、さらに無線送信機能を有するコネクタモジュールから着脱が容易なようにしてセンシングされた水位値を遠隔地の中央管制所に送信できるようにすると共に、使い捨て用として使用できるようにした静電容量型水位感知センサを提供することにその目的がある。
【課題を解決するための手段】
【０００５】
上述した目的を達成するための本発明の静電容量型水位感知センサは、
ベースフィルム上に並んで１対の電極が印刷方式によって形成されてコンデンサを形成し、前記ベースフィルムの下部面には接着層が形成されたセンサフィルムと、
前記センサフィルムの接続端子と接続し、電極によって検出された静電容量値をレベル情報に変換して遠隔地に無線送信するコネクタモジュールと
で構成され、
前記コネクタモジュールは、
ハウジングの一側に前記センサフィルムの接続端子部位を収容するための収容溝が形成され、前記収容溝の上側にはヒンジを媒介としてハウジングに結合したカバーが備えられて収容溝を覆うように構成され、前記カバーの内側には収容溝に収容された前記センサフィルムの接続端子を貫通して電気的に連結させるための連結ピンが備えられると同時に、収容溝の底部には前記連結ピンと対応する位置にピン溝が形成されるように構成され、
前記ハウジングの内側には、
バッテリと、
連結ピンと電気的に連結し、検出された静電容量値をレベル情報に変換するコントローラと、
前記コントローラから算出されたレベル情報を遠隔地に無線送信する無線送信部と
が内蔵されることを特徴とする。
【発明の効果】
【０００６】
このような本発明は、柔軟なフィルム材質を使用するため屈曲した輸液袋や瓶に容易に付着し、静電容量をセンシングする電極を印刷方式によって形成することによって製造が容易である上に、費用が低廉である。
【０００７】
また、多様な寸法での製造が可能であると共に、無線モジュールから着脱が容易なようにすると同時に、センシングされたレベル情報を遠隔地の中央管制所に無線送信できるようにするため複雑な配線が必要なく、さらに水位の変化を遠隔地で即座に確認して適切な対処が可能であるという長所もある。
【図面の簡単な説明】
【０００８】
【図１】本発明の外観構造を示した図である。
【図２】ベースフィルムに形成された電極と接続端子の構造を示した図である。
【図３】コネクタモジュールの構造を示した図である。
【図４】コネクタモジュール内に備えられた回路ブロック図である。
【図５】本発明を輸液袋に付着して水位を感知する状態を示した図である。
【発明を実施するための形態】
【０００９】
このように構成された本発明について、添付の図面を参照しながら詳しく説明する。
【００１０】
先ず、図１に示すように、本発明は大きくセンサフィルム１００とコネクタモジュール２００で構成される。
【００１１】
センサフィルム１００は、ベースフィルム１１０、前記ベースフィルム１１０の下部に形成された接着層１２０、前記ベースフィルム１１０の上部に積層されて上部面を保護するための上部保護層１３０で構成される。
【００１２】
このようなベースフィルム１１０は、ＰＥＴ、ＰＥ、ＰＴＦＥ、ＰＶＣなどのフィルム材質で形成され、その上部面には長さ方向に１対の導電ライン形態の電極１１１がストリップ形態で形成されるが、電極１１１は銀（ｓｉｌｖｅｒ）化合物または０〜２０Ωを有する純粋電導体インクなどによって印刷方式で形成される。
【００１３】
電極１１１はベースフィルム１１０の一端に形成された接続端子１１２と電気的に連結し、１対の電極１１１は端部が互いに電気的に連結し、電流の流れが可能なように形成される。
【００１４】
上部保護層１３０は、このようなベースフィルム１１０の上部面に形成された電極１１１と接続端子１１２を保護するために上側に積層され、ベースフィルム１１０の下部面には両面テープ形態の接着層１２０が形成される。
【００１５】
コネクタモジュール２００は、ベースフィルム１１０の接続端子１１２部位を収容し、電気的連結によって水位をセンシングした後、センシングされたレベル情報を遠隔地に無線送信する構造を有するものであって、図３（ａ）に示すように、ハウジング２１０の前方部が開放されてセンサフィルム１００の一端を収容するための収容溝２３０が形成されており、前記収容溝２３０の上部にはヒンジ２２０によって回転するカバー２２０が備えられている。
【００１６】
また、カバー２２０の内側には下側方向に突出した電導性の連結ピン２２２が形成されるが、このような連結ピン２２２は接続端子１１２の位置と数に対応するように形成され、収容溝２３０の底部２３１にはカバー２２０に備えられた連結ピン２２２を挿入するためのピン溝２３２が連結ピン２２２の位置と対応するように形成される。
【００１７】
したがって、ハウジング２１０の収容溝２３０にベースフィルム１１０の接続端子１１２部位が収容された状態でカバー２２０が収容溝２３０に覆われることにより、図３（ｂ）に示すように、連結ピン２２２が接続端子１１５部位を貫通して連結ピン２２２の端部分がピン溝２３２に収容される。
【００１８】
これにより、連結ピン２２２が接続端子１１２部位を貫通しながら互いに電気的に連結するようになる。
【００１９】
また、連結ピン２２２がセンサフィルム１００を貫通するため、センサフィルム１００がコネクタモジュール２００から離脱することを防ぐ。
【００２０】
ハウジング２１０の内側には、連結ピン２２２と電気的に連結し、電極１１１にセンシングされた静電容量値をレベル情報に変換するコントローラ２４０と、コントローラ２４０から出力されるレベル情報値を遠隔地に送信する無線送信部２５０と、バッテリ２６０とが内蔵されている。
【００２１】
このような本発明の使用状態と動作状態について説明する。
【００２２】
先ず、ユーザがコネクタモジュール２００のカバー２２０を開けた後、センサフィルム１００の接続端子１１２が形成された端部を収容溝２３０に収容させてカバー２２０を閉めると、センサフィルム１００とコネクタモジュール２００が電気的に連結する。
【００２３】
この後、水位をセンシングするための位置に接着層１２０を利用して付着するようになるが、図５に示すように、輸液袋３００の外側面に上下長さ方向に向かってパッド形態で付着してもよい。
【００２４】
コントローラ２４０は、ハウジング２１０内部に備えられたバッテリ２４０から電源供給を受け、周期的に温度センシングのための電源を連結ピン２２２を通じて供給するようになり、電極１１１から静電容量値の印加を受けるようになる。
【００２５】
静電容量とは、すべての物質が有している固有の静電気値であって、２つの電極１１１の間に物質が位置すると、その物質の静電容量値は電極の距離に反比例し、面積が比例するという特徴を有する。
【００２６】
このような特徴による電気的な信号値を検出してレベルを感知するようになる。
【００２７】
したがって、輸液袋３００の輸液水位に応じてその静電容量値が変化するため、この変化する静電容量値をコントローラ２４０で読み取ってレベル情報に換算し、これを無線送信部２５０によって遠隔地の中央管制所に無線送信する。
【００２８】
センサフィルム１００を交換する場合には、カバー２２０を開けてセンサフィルム１１０を取り外すと、固定されているセンサフィルム１００からコネクタモジュール２００が分離し、その分離したコネクタモジュール２００に新たなセンサフィルム１１０を上述したとおりに連結して輸液袋３００に付着することによって再び使用することができる。
【００２９】
すなわち、センシングフィルム１００は使い捨て用として使用が可能であり、コネクタモジュール２００は繰り返し使用することができる。
【符号の説明】
【００３０】
１００：センサフィルム
１１０：ベースフィルム
１１１：電極
１１２：接続端子
１２０：接着層
１３０：上部保護層
２００：コネクタモジュール
２１０：ハウジング
２２０：カバー
２２１：ヒンジ
２２２：連結ピン
２３０：収容溝
２３１：底部
２３２：ピン溝
２４０：コントローラ
２５０：無線送信部
２６０：バッテリ
【図１】
2015513678.tif 000003
【図２】
2015513678.tif 000004
【図３】
2015513678.tif 000005
【図５】
2015513678.tif 000006
【図４】
2015513678.tif 000007
【国際調査報告】
2015513678.tif 000008
2015513678.tif 000009
2015513678.tif 000010
2015513678.tif 000011